(57)【要約】      （修正有）【課題】取得時点での音声における雑音を抑制することができ、かつ、携帯性が高いマイクロフォンを提供する。【解決手段】マイクロフォン１００は、音声を取得する取得部１１１を有する筐体部１１０と、筐体部１１０と接続されており、ユーザが把持する把持部１２０と、を有する。筐体部１１０は、リング状である。【選択図】図２
2020077970.tif 000002
【特許請求の範囲】
【請求項１】
音声を取得する取得部を有する筐体部と、
前記筐体部と接続されており、ユーザが把持する把持部と、
を有し、
前記筐体部は、リング状である、
ことを特徴とするマイクロフォン。
【請求項２】
前記筐体部の表面の少なくとも一部は、ステンレス鋼によって構成されている、
ことを特徴とする請求項１に記載のマイクロフォン。
【請求項３】
前記筐体部は、内直径が５０ｍｍ以上の円環である、
ことを特徴とする請求項１または請求項２に記載のマイクロフォン。
【請求項４】
ユーザに対して通知を行う通知部を、さらに有する、
ことを特徴とする請求項１から３のいずれか１項に記載のマイクロフォン。
【請求項５】
前記マイクロフォンの状態を検知するセンサを、さらに有し、
前記通知部は、前記センサが検知した値に応じて通知を行う、
ことを特徴とする請求項４に記載のマイクロフォン。
【請求項６】
前記センサとして、圧力センサ、傾きセンサ、加速度センサ、温度センサのうち少なくともいずれか１つを有する、
ことを特徴とする請求項５に記載のマイクロフォン。
【請求項７】
前記センサは、前記筐体部に設けられている、風圧を検知する風圧センサであり、
前記通知部は、前記風圧センサが検知する風圧が所定の値よりも大きい場合には、ユーザに対して、所定の通知を行う、
ことを特徴とする請求項５に記載のマイクロフォン。
【請求項８】
前記所定の通知とは、ユーザの口と前記筐体部との位置関係の変更を指示する通知である、
ことを特徴とする請求項７に記載のマイクロフォン。
【請求項９】
前記通知部は、画像を表示する表示部であり
前記表示部は、前記筐体部に設けられている、
ことを特徴とする請求項５から８のいずれか１項に記載のマイクロフォン。
【請求項１０】
前記センサが検知した値から、ユーザの感情を推定する推定部をさらに有し、
前記表示部は、前記推定部が推定した感情に応じた表示をする、
ことを特徴とする請求項９に記載のマイクロフォン。
【発明の詳細な説明】
【技術分野】
【０００１】
本発明は、取得する音声における雑音を抑制することができ、かつ、携帯性が高いマイクロフォンに関する。
【背景技術】
【０００２】
従来、ユーザの音声を取得して、大きな音声にして出力するためや補正された音声に変換して出力するために、マイク（マイクロフォン）が用いられる。マイクは、一般的に、ユーザから発せられる音声を取得するものであるが、ユーザのマイクの持ち方によって取得できる音声の品質が変化する。
【０００３】
これに対して、特許文献１では、ユーザのマイクの持ち方に応じて、取得した音声情報を補正して、出力することが示されている。これによれば、出力される音声の質がマイクの持ち方に起因して低下するのを抑制することができる。しかし、特許文献１では、取得した音声情報に対して補正処理を行う必要があるため、当該補正処理によって、出力される音声に遅延が生じてしまう可能性がある。
【０００４】
一方、特許文献１のように取得した後に音声を補正するのではなく、取得する音声自体を高音質にすることが行われている。例えば、高音質な音声を取得するために、ユーザとマイクとの間にフィルタ（スクリーン）を備えることで、ユーザの息などに起因する雑音をフィルタによって抑制することが行われている。これによれば、取得した音声情報に対して補正処理は行われないため、出力される音声に遅延は生じない。
【先行技術文献】
【特許文献】
【０００５】
【特許文献１】特開２０１６−８２４４４号公報
【０００６】
【非特許文献１】塚原宏泰、他３名、"日本人成人顎関節健常者における最大開口量についての統計学的検討"、表１、［online］、［平成３０年１０月１９日検索］、インターネット<URL: https://www.jstage.jst.go.jp/article/jjoms1967/44/2/44_2_159/_pdf>
【非特許文献２】"ＡＩＳＴ  人体寸法データベース  １９９１−９２"、項目ＩＤ：Ａ１３（項目名：口裂幅）、［online］、［平成３０年１０月１９日検索］、インターネット<URL: https://unit.aist.go.jp/hiri/dhrg/ja/dhdb/91-92/data/list.html>
【発明の概要】
【発明が解決しようとする課題】
【０００７】
しかしながら、例えば、多くのユーザがマイクを共有して利用するような場では、上述のようにフィルタを備えるマイクは、携帯性が低いため利用しにくいという課題があった。つまり、従来では、取得時点での音声における雑音を抑制し、かつ、携帯性が高いマイクを提供することができなかった。
【０００８】
そこで、本発明は、取得時点での音声における雑音を抑制することができ、かつ、携帯性が高いマイクロフォンを提供することを目的とする。
【課題を解決するための手段】
【０００９】
本発明の第１の態様は、
音声を取得する取得部を有する筐体部と、
前記筐体部と接続されており、ユーザが把持する把持部と、
を有し、
前記筐体部は、リング状である、
ことを特徴とするマイクロフォンである。
【００１０】
このようなマイクロフォンによれば、筐体部に囲われた空間部分が存在するため、ユーザが当該空間部分に対して音声を発することによって、息に起因する雑音の発生を防ぐことができる。また、筐体部のみによって息に起因する雑音の発生を抑制できるため、単純な構成であり、携帯性が高いマイクロフォンが実現可能である。なお、リング状とは、円環状であっても、トーラス状であっても、四角環状であってもよい。なお、筐体部がトーラス状であれば、形状的に角がないため、ユーザ使用の安全性において有利である。
【００１１】
ここで、前記筐体部の表面の少なくとも一部は、ステンレス鋼によって構成されているとよい。これによれば、ユーザの息などによって生じるマイクロフォンの汚れを抑制することができる。また、当該一部は、筐体部の正面部分や筐体部の内周部分などの、息がかかりやすい部分であると、より汚れの抑制を効果的に実現できる。
【００１２】
前記筐体部は、内直径が５０ｍｍ以上の円環であるとよい。これによれば、口のサイズの小さな子供や女性がマイクロフォンを使用する際に、息による雑音の抑制を効果的に実現できる。また、内直径とは、筐体部の内周（内周部分）の直径である。なお、内直径が６０ｍｍ以上の円環であれば、口の大きな男性がマイクロフォンを使用する際にも、息による雑音の抑制を効果的に実現できる。
【００１３】
マイクロフォンは、ユーザに対して通知を行う通知部を、さらに、有するとよい。また、マイクロフォンは、前記マイクロフォンの状態を検知するセンサを、さらに有し、前記通知部は、前記センサが検知した値に応じて通知を行うとよい。これによれば、マイクロフォンは、例えば、センサが検知した値に応じて、ユーザが正しくマイクロフォンを使うように指示することができる。また、マイクロフォンは、例えば、センサの値をユーザに通知することもできるため、マイクロフォンを使用している環境などもユーザは把握することができる。従って、ユーザに対する通知とは、検知した値やマイクロフォンの使用の改善を指示する通知などである。なお、マイクロフォンの状態とは、マイクロフォンの状態を示すセンサの値であるともいえる。
【００１４】
マイクロフォンは、前記センサとして、圧力センサ、傾きセンサ、加速度センサ、温度センサのうち少なくともいずれか１つを有するとよい。ここで、１つに限らず多くのセンサを使用することによれば、より精度が高く、例えば、筐体部とユーザの口との位置関係やユーザの感情などが把握できる。
【００１５】
前記センサは、前記筐体部に設けられている、風圧を検知する風圧センサであり、前記通知部は、前記風圧センサが検知する風圧が所定の値よりも大きい場合には、ユーザに対して、所定の通知を行うとよい。前記所定の通知とは、ユーザの口と前記筐体部との位置関係の変更を指示する通知であるとよい。これによれば、風圧の大きさによって、ユーザが正しくマイクロフォンを使用していないことが検知できる。さらに、これをユーザに通知することによって、ユーザは正しくマイクロフォンを使用することができる。
【００１６】
前記通知部は、画像を表示する表示部であり、前記表示部は、前記筐体部に設けられているとよい。これによれば、ユーザは、マイクロフォンからの出力（通知）を視覚的に把握することができる。つまり、例えば、カラオケが行われているような周囲の音が大きい環境であっても、マイクロフォンはユーザに対する通知が可能である。
【００１７】
マイクロフォンは、前記センサが検知した値から、ユーザの感情を推定する推定部をさらに有し、前記表示部は、前記推定部が推定した感情に応じた表示をするとよい。これによれば、マイクを使用しているユーザの感情を増長させることができる。ユーザは、マイクを使用して行っている行為（例えば、カラオケやプレゼンテーション）により没頭することができる。従って、マイクの利用価値がさらに増加する。なお、ユーザの感情とは、喜怒哀楽、興奮や平静などいかなるものでもよい。
【発明の効果】
【００１８】
本発明によれば、取得時点での音声における雑音を抑制することができ、かつ、携帯性が高いマイクロフォン提供することができる。
【図面の簡単な説明】
【００１９】
【図１】実施形態１に係るマイクの外観図である。
【図２】実施形態１に係るマイクの構成図である。
【図３】実施形態１に係る筐体部の大きさを説明する図である。
【図４】実施形態１に係る大きさが可変である筐体部を説明する図である。
【図５】実施形態２に係るマイクの構成図である。
【図６】実施形態１および変形例１に係る通知部を説明する図である。
【図７】変形例２に係るマイクの構成図である。
【図８】変形例２に係る通知部を説明する図である。
【発明を実施するための形態】
【００２０】
以下、図面を参照して本発明の例示的な実施形態を詳細に説明する。なお、本発明は説明する実施形態に限定されない。また、実施形態で説明される構成要素の全てが本発明に必須とは限らない。
【００２１】
＜実施形態１＞
以下、実施形態１では、ユーザの音声発生時の息が、マイクに当たりにくくすることにより、取得する音声における雑音を抑制する。また、マイクの構造をシンプルにすることにより、携帯性の高いマイクを実現する。
【００２２】
［マイクの外観］
まず、図１（Ａ）および図１（Ｂ）を用いて、本実施形態に係るマイク１００（マイクロフォン）について説明する。マイク１００は、筐体部１１０と把持部１２０を有する。ここで、筐体部１１０と把持部１２０とは、接続されている。ここで、図１（Ａ）は、マイク１００を斜めから見た斜視図であり、図１（Ｂ）は、マイク１００を正面から見た正面図である。なお、ここで「正面」とは、筐体部１１０に囲まれた空間部分１３０の面積が最も大きく見える方向である。
【００２３】
筐体部１１０は、ユーザから発せられた音声を取得する取得部を有する筐体（ケース）である。ここで、ユーザは、上述の正面の方向から筐体部１１０の空間部分１３０の中心に向かって音声を発する。本実施形態では、筐体部１１０は、リング状に形成されているものとする。なお、当該リング状は、円環状であってもよいし、トーラス状（ドーナツ状）であってもよい。なお、筐体部１１０がトーラス状であれば、形状的に角がないため、ユーザ使用の安全性において有利である。また、筐体部１１０に囲まれた空間部分１３０が存在すればよいため、当該リング状は、例えば、四角環状（多角環状）であってもよい。ここで、当該空間部分１３０が存在することにより、筐体部１１０に対して直接ユーザの息がかかることを抑制し、息による雑音の発生を抑制ことができる。従って、このような構造によって、取得する音声における雑音を抑制することができる。また、人間の心理的にも、筐体部１１０がリング形状であると、当該リング形状の真中に対してユーザは声
を発生する傾向があるため、マイク１００に息がかかりにくい。
【００２４】
なお、筐体部１１０の表面の一部または全部がステンレス鋼によって構成されていれば、ユーザの発声による息や唾などによって、筐体部１１０の表面が汚れてしまうことを抑制することもできる。具体的には、筐体部１１０において正面の方向から見ることのできる部分や、筐体部１１０の内周部分などの、息がかかりやすい部分がステンレス鋼によって構成されるとよい。
【００２５】
把持部１２０は、ユーザがマイク１００を把持するための部位である。本実施形態では、把持部１２０は、四角柱状であるが、これに限らず円柱状であってもよく、また、ユーザが握りやすいように手の形状にあわせたグリップ部分があってもよい。
【００２６】
このように、本実施形態に係るマイク１００は、外観構造が単純であるため、持ち運びやすく、携帯性が高い。
【００２７】
［マイクの内部構成］
以下にて、マイク１００の内部構成について図２を用いて説明する。筐体部１１０は、取得部１１１を有する。把持部１２０は、制御部１２１、記憶部１２２、処理部１２３、通信部１２４を有する。なお、把持部１２０が有する各機能部は、筐体部１１０が有していてもよい。
【００２８】
取得部１１１は、ユーザから発せられる音声を取得する。より、詳細には、取得部１１１は、空気中の振動を音声信号に変換することによって、音声を取得する。また、本実施形態では、取得部１１１は、筐体部１１０の内部に１または複数配置されており、例えば、空間部分１３０に対して左右（水平）方向に配置されている。取得部１１１が空間部分１３０に対して左右方向に配置されていることによれば、一般的に、ユーザが音声を発する際に左右方向に発声位置がずれることよりも、上下方向にずれることの方が多いため、取得部１１１に対して息がかかることが抑制できる。取得部１１１は、取得した音声を処理部１２３に出力する。
【００２９】
制御部１２１は、記憶部１２２に格納されたプログラムによって、取得部１１１を含むマイク１００の各機能部を制御する。制御部１２１は、例えば、ＣＰＵ（Ｃｅｎｔｒａｌ
Ｐｒｏｃｅｓｓｉｎｇ  Ｕｎｉｔ）である。
【００３０】
記憶部１２２は、制御部１２１が各機能部を制御するためのプログラムを記憶する。また、記憶部１２２は、取得部１１１が取得した音声を記憶してもよい。記憶部１２２は、例えば、ＲＡＭ（Ｒａｍｄｏｍ  Ａｃｃｅｓｓ  Ｍｅｍｏｒｙ）やＲＯＭ（Ｒｅａｄ  Ｏｎｌｙ  Ｍｅｍｏｒｙ）やＨＤＤ（Ｈａｒｄ  Ｄｉｓｋ  Ｄｒｉｖｅ）などによって構成される。
【００３１】
処理部１２３は、取得部１１１から取得した音声に対して、処理を施す。この処理は、例えば、通信に必要な容量を削減するための、アナログデータをデジタルデータに変換する処理などである。なお、処理部１２３は、デジタルデータに変換する処理に限らず、例えば、音声の大きさや高さを補正する処理を行ってもよい。なお、処理部１２３は、処理を施した音声を、通信部１２４に出力する。
【００３２】
通信部１２４は、マイク１００の外部装置に対して、処理部１２３から取得した音声を出力する。ここで、外部装置とは、例えば、スピーカーやＰＣなどである。なお、通信部１２４と外部装置との通信は、無線通信によって行われても、有線通信によって行われてもよく、通信形式も任意のものでよい。
【００３３】
［筐体部１１０の大きさについて］
上述のように、筐体部１１０は、ユーザから発せられる息による雑音の発生を防ぐことを目的としている。そのため、筐体部１１０に囲まれた空間部分１３０は、十分な大きさがある必要がある。つまり、筐体部１１０の内周（内周部分）が、十分に大きい必要がある。そこで、以下では、より雑音の発生を抑制することのできる筐体部１１０の大きさについて説明する。なお、本実施形態では、筐体部１１０（筐体部１１０の内周部分）は円環状（円状）であるとする。
【００３４】
図３（Ａ）は、ユーザが口を開いた際の様子を示しており、最大開口量Ｄ１は、最大に開いたときの口の上下の長さを示している。一方、図３（Ｂ）は、ユーザが口を閉じている際の様子を示しており、口裂幅Ｄ２は、閉じているときの口の幅（口角間の距離）を示している。また、図３（Ｃ）は、正面から見たマイク１００を示しており、直径Ｒ１は、筐体部１１０の内周部分の直径（内直径）を示している。
【００３５】
ここで、最大開口量Ｄ１および口裂幅Ｄ２は、息の発生源であるユーザの口の大きさを示している。そのため、空間部分１３０の中心に対して正面からユーザが息を吐いている場合には、筐体部１１０の内周部分の直径Ｒ１が、Ｄ１以上かつＤ２以上であれば、筐体部１１０に対して直接息がかかる可能性を低減できる。
【００３６】
また、非特許文献１によれば、日本人の最大開口量の平均値は５３．０１ｍｍであり、男性の最大開口量の平均値が５５．５４ｍｍであり、女性の最大開口量の平均値が５０．６２ｍｍであると記載されている。さらに、非特許文献２によれば、日本人の口裂幅の平均は、若中年層では４５．６ｍｍであり、高齢層では４８．２ｍｍであると記載されている。従って、筐体部１１０の内周部分の直径Ｒ１が６０ｍｍ以上であれば、ユーザの最大開口量Ｄ１以上かつ口裂幅Ｄ２以上を直径Ｒ１が満たす可能性が高い。このため、本実施形態では、筐体部１１０の内周部分の直径Ｒ１を６０ｍｍにすることにより、ユーザの息に起因する雑音の取得の可能性を抑制する。なお、必ずしも、直径Ｒ１を６０ｍｍにする必要はなく、例えば、男性よりも口の小さな女性をユーザとして想定する場合には、直径Ｒ１を５０ｍｍとしても、十分に雑音の取得の抑制が可能である。また、大きく口を開くことが想定されない場合には、例えば、直径Ｒ１が３０ｍｍや４０ｍｍであっても、十分に雑音の取得の抑制が可能である。なお、直径Ｒ１が小さければ、筐体部１１０を小型化することができるため、さらに携帯性を向上することができる。
【００３７】
なお、本実施形態では、筐体部１１０の内周部分は円状であるとして説明しているが、内周部分は、楕円状であってもよい。この楕円状の場合には、非特許文献１，２より、内周部分の短軸を５０ｍｍとして、長軸を６０ｍｍとしてもよい。つまり、内周部分の短軸を日本人の口裂幅の平均値よりも十分に大きくして、長径を日本人の最大開口量の平均値よりも十分に大きくしている。これによれば、円状の場合と比較して、筐体部１１０を小型化することができるため、さらに携帯性を向上することができる。
【００３８】
なお、マイクの内周部分の直径Ｒ１は変更可能であってもよい。例えば、図４（Ａ）が示すように、リング状の筐体部１１０に１箇所切れ目があることにより、直径Ｒ１の長さが変更可能であってもよい。具体的には、口の大きい男性が使用するユーザである場合には、図４（Ａ）が示すように、ユーザは、切れ目の間隔を大きくすることによって、直径Ｒ１の長さを大きくする。一方、口の小さい女性や子供が使用するユーザである場合には、図４（Ｂ）が示すように、ユーザは、切れ目の間隔を小さくすることによって、直径Ｒ１の長さを小さくする。これにより、口が大きいためユーザにとっては、直径Ｒ１の長さを十分に大きくすることにより雑音を抑制することができ、口が小さいユーザにとっては、直径Ｒ１の長さを小さくすることによりマイク１００の把持を容易にすることができる
。
【００３９】
［効果］
このように、筐体部をリング状（トーラス状、ドーナツ状）にして、当該筐体部に囲われた内部の空間を十分大きなものにすることによって、ユーザの息が筐体部に直接かかることを抑制することができる。このため、ユーザの息に起因する雑音の取得を抑制できる。また、本実施形態に係るマイクは、筐体部と把持部によって構成される単純なものであるため、フィルタなどを用いたマイクと比較して、携帯性が高い。そのため、ユーザ間でのマイクの共有が容易に可能である。
【００４０】
＜実施形態２＞
実施形態１では、筐体部の形状および大きさを適切なものにすることによって、マイクが取得する雑音を抑制した。しかし、正しく筐体部における空間部分に向かってユーザが音声を発生しない場合には、マイクが取得する雑音の抑制はできない。そこで、本実施形態では、ユーザが正しくマイクを使用しているか否かを監視（検知）して、正しく使用していない場合には、ユーザ通知を実施するマイクを説明する。
【００４１】
［マイクの内部構成］
まず、実施形態２に係るマイク２００の内部構成について図５の構成図を用いて説明する。マイク２００は、筐体部２１０と把持部１２０を有する。筐体部２１０は、取得部１１１、センサ２１２、通知部２１３を有する。把持部１２０は、制御部１２１、記憶部１２２、処理部１２３、通信部１２４を有する。本実施形態と実施形態１とは、センサ２１２と通知部２１３が異なるため、以下にて当該機能部について説明し、その他の機能部については、実施形態１のおける同名の機能部と同様の処理を行うため説明は省略する。なお、センサ２１２および通知部２１３は、筐体部２１０ではなく、把持部１２０に設けられていてもよい。
【００４２】
センサ２１２は、マイク１００の状態を示す値（センサ値）を検知する。なお、本実施形態では、センサ２１２は、マイク１００の筐体部２１０のおける風圧を感知する風圧センサであるとして説明するが、これには限らない。センサ２１２は、例えば、マイク１００の移動（加速）を検知する加速度センサ、マイク１００の傾きを検知する傾きセンサなどがあり得る。センサ２１２は、１つの種類のセンサである必要はなく、例えば、風圧センサであり加速度センサでもあるなどの、複数の種類のセンサが組み合わさったものであってもよい。なお、センサ２１２は、取得したセンサ値を通知部２１３に出力する。
【００４３】
通知部２１３は、センサ２１２が取得したセンサ値に応じて、ユーザに対して通知（警告）する。例えば、通知部２１３は、センサ２１２が取得した風圧を示すセンサ値が所定の値より大きい場合には、空間部分１３０の中心に対してユーザが発声していないと判断して、ユーザの口とマイク１００との位置関係を修正（変更）するように指示する通知を行う。具体的には、マイク１００の円部分の中心に向かって声を出すように指示する通知を行う。ここで、例えば、筐体部２１０における、空間部分１３０に対して上下左右の４つの方向にセンサ２１２が配置されていれば、当該４つのセンサ値に応じて位置修正を行う方向を指示することも可能である。具体的には、通知部２１３は、４つのセンサ値のうち最も大きいセンサ値を有するセンサ２１２が配置されている箇所から空間部分１３０が存在する箇所に向かう方向に、筐体部２１０（マイク２００）を移動させるように指示することができる。
【００４４】
なお、センサ２１２が傾きセンサであり、例えば、水平面に垂直な角度に対して把持部１２０が所定の角度以上傾いている場合にも、センサ値に応じて、このような通知が行われてもよい。また、センサ２１２が加速度センサであり、筐体部２１０における加速度が
所定の加速度以上であった場合には、センサ値に応じて、例えば、マイク１００を安定させて把持するように指示する通知が行われてもよい。
【００４５】
ここで、本実施形態では、通知部２１３は、図６（Ａ）が示すように、筐体部２１０の表面に画像を表示して通知するものとする。つまり、本実施形態では、通知部２１３は、画像を表示する表示部（ディスプレイ）でもある。しかし、これに限らず、通知部２１３による通知は、音のみによる通知でもよく、また、所定のランプの発光による通知でもよい。
【００４６】
［効果］
このように、ユーザが正しくマイクを使用しているか否かを監視（検知）して、正しく使用していない場合には、ユーザ通知を実施するマイクを説明した。これによって、ユーザが正しくマイクを使うことができるため、よりマイクが雑音を取得することを抑制することができる。
【００４７】
［変形例１］
実施形態２では、ユーザへのマイクの正しい使用を促すために通知部２１３を用いていたが、これに用途は限らない。つまり、図６（Ｂ）が示すように、例えば、カラオケにおける選曲のために通知部２１３が用いられてもよい。ここで、本変形例における通知部２１３は、ユーザからの指示を受け付けるタッチパネルを有する表示部である。具体的には、図６（Ｂ）のように、通知部２１３は、選択領域２０１〜選択領域２０３を表示することによって、ユーザに対して選択肢を提示する。これに対して、選択領域２０１〜選択領域２０３のいずれかをユーザが選択（タッチ；タップ）することによって、選曲の処理を実行することができる。また、例えば、通知部２１３は、歌詞や台詞などを表示してもよい。なお、通知部２１３がタッチパネルではなく、例えば、把持部１２０が物理的なボタンを備えており、当該ボタンに対するユーザ操作によって、選曲処理などが実行できてもよい。また、歌詞や台詞の表示などは、通信部１２４を介して、外部のカラオケ用の情報処理装置などとマイク２００とが通信および同期をすることによって実現されてもよい。
【００４８】
以上、変形例１によれば、例えば、マイクによって、ユーザが選曲などの処理や歌詞・台詞の確認もできるため、一般的に利用されているリモコンや歌詞・台詞を表示しているディスプレイも必要ない。このため、マイク使用時のユーザの利便性が向上する。
【００４９】
［変形例２］
実施形態２では、センサが取得したセンサ値に応じて通知部がユーザに対して、マイクを正しく使用するように通知を行っていた。しかし、他の用途に、センサおよび通知部を用いてもよい。本変形例では、センサ値からユーザの感情を推定して、推定した感情に応じた出力（通知）を行うマイクについて説明する。
【００５０】
［マイクの内部構成］
まず、変形例２に係るマイク３００の内部構成について図７の構成図を用いて説明する。マイク３００は、筐体部３１０と把持部１２０を有する。筐体部３１０は、取得部１１１、センサ２１２、通知部３１３、推定部３１４を有する。把持部１２０は、制御部１２１、記憶部１２２、処理部１２３、通信部１２４を有する。本変形例と実施形態２とは、通知部３１３と推定部３１４が異なるため、以下にて当該機能部について説明し、その他の機能部については、実施形態１のおける同名の機能部と同様の処理を行うため説明は省略する。なお、通知部３１３および推定部３１４は、筐体部３１０ではなく、把持部１２０に設けられていてもよい。なお、センサ２１２は、取得した値（センサ値）を推定部３１４に出力するものとする。
【００５１】
推定部３１４は、センサ２１２が取得したセンサ値に応じて、ユーザの感情を推定して、推定した感情を通知部３１３に出力する。例えば、センサ２１２が傾きセンサであれば、推定部３１４は、マイク１００の傾きを示すセンサ値の変化量に応じて、ユーザの感情を推定する。具体的には、推定部３１４は、単位時間当たりのセンサ値の変化量が閾値Ｔｈ１よりも大きければ、ユーザが興奮状態にあると推定する。一方、推定部３１４は、単位時間当たりのセンサ値の変化量が、閾値Ｔｈ１よりも小さい閾値Ｔｈ２よりも小さければ、ユーザが平静状態にあると推定する。これは、例えば、上述の「単位時間当たりのセンサ値の変化量」を、「加速度センサが取得したセンサ値」と読み替えても、ユーザの感情の推定可能である。なお、推定部３１４が推定する感情は、興奮状態および平静状態に限らず、怒りや悲しみ、喜びの状態など、いかなる感情の状態であってもよい。
【００５２】
また、推定部３１４は、外部装置が有していてもよく、センサ２１２が通信部１２４を介して外部装置にセンサ値を出力してもよい。この場合、外部装置における推定部３１４は、感情を推定して、通信部１２４を介して推定した感情を通知部３１３に出力する。
【００５３】
通知部３１３は、推定部３１４から取得した感情に基づいた出力（通知）を行う。具体的には、推定した感情が興奮状態を示す際には、通知部３１３は、例えば、ユーザの感情を盛り上げるために、図８（Ａ）が示すように星型のマークを筐体部３１０の表面に表示する。一方、推定した感情が平静状態を示す際には、通知部３１３は、例えば、ユーザの感情に沿う様に、図８（Ｂ）が示すように筐体部３１０の表面の色を落ち着いた色に変更する。また、これ以外にも、例えば、通知部３１３は、推定した感情に応じた匂いの出力や音の出力、発光、表示などを行ってもよい。
【００５４】
以上、変形例２によれば、マイクを使用しているユーザの感情を増長させることができる。これによれば、ユーザは、マイクを使用して行っている行為（例えば、カラオケやプレゼンテーション）により没頭することができる。従って、マイクの利用価値がさらに増加する。
【００５５】
なお、マイク１００は、感情を推定せずに、センサ値を通知部３１３を介して出力（通知；表示）してもよい。従って、センサ２１２は、温度を検知する温度センサ、湿度を検知する湿度センサ、圧力を検知する圧力センサなど任意のものであってよい。これによれば、ユーザは、マイクを使っている環境を把握することができる。
【００５６】
以上に説明した本発明の各実施形態や変形例に記載された構成や処理は、互いに任意に組み合わせて利用できる。
【符号の説明】
【００５７】
１００：マイク、１１０：筐体部、１１１：取得部、１２０：把持部
【図１】
2020077970.tif 000003
【図２】
2020077970.tif 000004
【図３】
2020077970.tif 000005
【図４】
2020077970.tif 000006
【図５】
2020077970.tif 000007
【図６】
2020077970.tif 000008
【図７】
2020077970.tif 000009
【図８】
2020077970.tif 000010